(57)【要約】【課題】断する毎に差し込む操作が不要で読書などを中断して頁を閉じたときに自動的に中断した頁に差し込まれるばかりか、複雑な構造を要さずに廉価に提供する。【解決手段】表面１２または裏面１３の少なくとも一面に粘着層１１を形成した適宜大きさのシート状の貼付部１と、貼付部１の一端から前方に突出させたゴム製で細片状の押え部２とからなり、押え部２は貼付部１から前方へ突出する突出部２２とこの突出部２２に連続して形成される先部が貼付部１側へと屈曲している押え部本体２３とからなり、突出部２２の基端である貼付部１との連結部２４および突出部２２と押え部本体２３との連結部２５が少なくとも軸線方向に拡開可能且つ弾性により所定の屈曲位置に自動復帰する。【選択図】図２
2010012767.tif 000002
【特許請求の範囲】
【請求項１】
表面または裏面の少なくとも一面に粘着層を形成した適宜大きさのシート状の貼付部と、前記貼付部の一端から前方に突出させたゴム製で細片状の押え部とからなり、前記押え部は前記貼付部から前方へ突出する突出部とこの突出部に連続して形成される先部が前記貼付部側へと屈曲している押え部本体とからなり、前記突出部の基端である前記貼付部との連結部および前記突出部と押え部本体との連結部が少なくとも軸線方向に拡開可能且つ弾性により所定の屈曲位置に自動復帰することを特徴とするしおり。
【請求項２】
前記押え部は前記貼付部に沿って揺動可能であるとともに、先端に扁平な頁めくり部が備えられていることを特徴とする請求項１記載のしおり。
【請求項３】
前記頁めくり部の中央部に指先を固定するための凹みまたは透マ孔が形成されていることを特徴とする請求項２記載のしおり。
【請求項４】
前記押え部材は少なくとも内面の摩擦係数が大きく形成されていることを特徴とする請求項１，２または３記載のしおり。
【請求項５】
前記押え部材は屈曲部が硬く形成されていることを特徴とする請求項１，２，３または４記載のしおり。
【発明の詳細な説明】
【技術分野】
【０００１】  本発明は、書籍やノートなどのような多数枚の紙片を綴じた冊子において必要な頁の間に差し込まれるしおりに関するものである。
【背景技術】
【０００２】  従来、書籍やノートなどのような多数枚の紙片を綴じた冊子において、筆記中或いは読み掛けの頁を直ぐに開けるためにしおりが用いられている。【０００３】  そして、古くから用いられているしおりとして、例えば薄い短冊形のものやひも状のものが知られているが、短冊形のものは読み終わって書籍などを閉じる際に該当頁に差し込んで使用するものであり、読書中などには他の任意の頁間に挟んでおくことになり読書を中断するときに読み掛けの頁へ再び差し替える必要があり煩わしいばかりか紛失の心配もある。また、ひも状のものは書籍などに始めから組み込まれているものが一般的であり、製造工程の煩雑さや価格の面から全ての書籍に備えられている訳ではない。【０００４】  そこで、例えば、後から書籍などの使用者において付設することができるしおりが、例えば実開平６−８１７６１号公報、特開平１０−２０３０４９号公報、特開平１１−４８６３８号公報、特開平１１−１７０７３４号公報、特開２００８−６２５４４号公報などに提示されているが、これらのしおりは図９に示すようにシート状の貼付部１０にひも状のしおり本体２０を連結したものであり、前記貼付部１０を書籍３０などの背表紙４０部分にされているさせて、書籍３０などの上部から開放した頁にひも状のしおり本体２０を差し入れるものである。【０００５】  従って、前記公報に提示されているしおりは、しおりを装着していない書籍などに後からしおりを付設することは可能であるが、付設されるしおりは、従来のひも状のものと同様であって、中断する毎にひもを差し込むことになり面倒であるという問題を解決することはできない。【０００６】  また、前記従来の問題点を解決して中断した頁を閉じるだけで自動的に中断した頁に差し込まれるしおりが例えば特開２００４−２２４０２３号公報などに提示されているが、このしおりは図１０に示すように、ボルトやナット硬質アームなどを組み合わせたものであって、構造が複雑であるばかりか、嵩張るとともに全体が硬質であることから使用する書籍や使用する者が損傷する心配もある。【０００７】  一方、頁めくり機能を有するしおりが例えば実用新案登録第３１３８２３４号公報などに提示されているが、これらは例えば図１１に示すように単に短冊形のしおり本体２０の端部に滑り止め５０を付設したものであり、従来の短冊形であるしおりの欠点である煩雑さを解消するものでなく、また、頁めくりの操作も滑り止め５０部分を指で摘んで操作するものであって、使い勝手が悪い。
【特許文献１】実開平６−８１７６１号公報
【特許文献２】特開平１０−２０３０４９号公報
【特許文献３】特開平１１−１７０７３４号公報
【特許文献４】特開２００８−６２５４４号公報
【特許文献５】特開２００４−２２４０２３号公報
【発明の開示】
【発明が解決しようとする課題】
【０００８】  本発明は、前記従来のしおりが有している問題点を解決しようとするものであり、中断する毎に差し込む操作が不要で読書などを中断して頁を閉じたときに自動的に中断した頁に差し込まれるばかりか、複雑な構造を要さずに廉価に提供することができ、全体として軟質で嵩張らずに書籍や使用者が損傷する心配もなく、更に、頁めくり機能をも付与することが可能なしおりを提供するものである。
【課題を解決するための手段】
【０００９】  前記、課題を解決するためになされた本発明は、表面または裏面の少なくとも一面に粘着層を形成した適宜大きさのシート状の貼付部と、前記貼付部の一端から前方に突出させたゴム製で細片状の押え部とからなり、前記押え部は前記貼付部から前方へ突出する突出部とこの突出部に連続して形成される先部が前記貼付部側へと屈曲している押え部本体とからなり、前記突出部の基端である前記貼付部との連結部および前記突出部と押え部本体との連結部が少なくとも軸線方向に拡開可能且つ弾性により所定の屈曲位置に自動復帰することを特徴とする。【００１０】  本発明によれば、貼付部を書籍などの例えば裏表紙の内面または外面には貼着して突出部による未使用の頁を跨いで押え部を読み始めの頁に差し込んでおくだけで、順番に頁を捲れば、突出部の基端である前記貼付部との連結部および前記突出部と押え部との連結部が軸線方向に拡開して捲った頁を開放し、次いで、弾性により所定の屈曲位置に自動復帰して次に現れる頁を押さえるのでそのままの状態で頁を閉じると中断した頁に押え部が位置してしおりとしての役目を果たす。【００１１】  また、本発明において、前記押え部を前記貼付部に沿って揺動可能で、先端に扁平な頁めくり部を備えた場合には、頁捲利としての機能も発揮させることができ、殊に、前記頁めくり部の中央部に指先を固定するための凹みまたは透窓が形成されている場合には、指が滑ることもなく確実に操作することができる。【００１２】  殊に、本発明において、前記押え部材の少なくとも内面の摩擦係数を大きく形成する場合には、開いた頁の押さえや頁めくりによい結果をもたらし、押え部材が屈曲部を硬く形成している場合には開いた頁を確実に押さえることができる。
【発明の効果】
【００１３】  本発明によると、従来のしおりのように離脱により紛失する心配がなく、筆記や読書などを中断して頁をとじれば自動的に中断頁に押え部が差し込まれてしおりとしての機能を発揮し、また、書籍や指が換装して頁がめくりにくい場合にも水分を用いないで確実に捲ることができる。
【発明を実施するための最良の形態】
【００１４】  以下に、図面を参照しながら本発明を実施するための最良の形態を説明する。【００１５】  図１は、本発明における好ましい実施の形態を示すものであり、本実施の形態であるしおりは、主として書籍などに付設するための貼付部１と、前記貼付部１の一端から前方に突出させた押え部２とから構成される。【００１６】  そして、貼付部１は本実施の形態では、例えば３０×３０ｍｍ程度の方形を呈し、はがき程度の厚さを有するシート材により形成され、表面１１には使用後に波がして繰り返し使用が可能な粘着層１２が形成されている。【００１７】  また、押え部２は、天然ゴム或いは合成ゴムのような適宜の弾性と比較的大きな摩擦係数を有する材質により形成され、厚さ１ｍｍ、幅３ｍｍ程度の板状の細片状であり、基端２１を前記貼付部１の外面１３に例えば接着剤や接着テーブにより左右方向のほぼ中央付近に固着されているとともに、貼付部１の一端１４から前方へ突出する突出部２２とこの突出部２２に連続して形成される先部が貼付部１側へと屈曲している押え部本体２３とからなり、更に、突出部２２の基端である貼付部１との連結部２４および突出部２２と押え部本体２３との連結部が少なくとも軸線方向に拡開可能且つ弾性により所定の屈曲位置に自動復帰する。【００１８】  尚、前記押え部本体２３の長さは開放した頁を押さえて置くのに必要長さで且つ頁に記載されている文字などに掛からないことが必要であり、例えば２０ｍｍ程度であって、前記突出部２２の長さは使用する書籍などの紙の厚さや頁数に会わせて変化させるが、ある範囲を定めて複数の種類のものを用意しておけば足りる。また、本実施の形態では前記連結部２４，２５における突出部２２および押え部本体２３がなす角度が直角よりも狭い角度に形成されている。【００１９】  図２乃至図４は本実施の形態についての使用方法を示すものであり、始めに図２に示すように、例えば使用する書籍３の裏表紙３１の前頁３２の下端縁３３に前記貼付部１をその一端１４を会わせて貼着するとともに、押え部２の突出部２２を重ねられた頁部分３４を跨いで前記押え部本体２３を読み始めの頁の部分に差し込み準備を終わる。【００２０】  次に、書籍３を読み始めるとき、最初の頁に押え部本体２３が差し込まれているので重ねられた頁部分３４における読み始め部分が隙間（図示せず）を形成しているので従来のしおりと同様に容易にその頁を開くことができる（図３参照）。【００２１】  そして、開いた頁を読み終わって、次の頁を捲ったときに、本実施の形態では、図４に鎖線で示すように、捲った頁により押え部本体２３に押さえ方向への反力が作用して突出部２２の基端である貼付部１との連結部２４および突出部２２と押え部本体２３との連結部が軸線方向に拡開することにより押さえていた頁のめくりを許可し、その頁が捲られて押え部本体２３を通過したとき押え部２は元の状態に復帰して次の頁において前記図２（ｂ）に示した状態に復帰する。【００２２】  従って、この状態で読書を中断して頁を閉じると再び押え部本体２３が中断したときに開いていた頁に差し込まれた状態で閉じることになりしおりの役目を発揮する。特に、本実施の形態では連結部２４，２５における突出部２２お���び押え部本体２３がなす角度が直角よりも狭い角度に形成されているので、頁が残り少なくなっても押え部材２３の押圧力が最後まで作用して開いた頁を保持することができる。【００２３】  このように、本実施の形態では、従来のしおりのように差し換え操作をすることなく通常の使用状態のように頁を捲っていくだけで何の操作をしなくても自動的に中断した頁に押さえ部材２が差し込まれてしおり効果を発揮する。【００２４】  また、貼付部１は粘着層１２により書籍３などに固定されているので、使用後は剥がして繰り返し使用することができ、きわめて経済的である。【００２５】  更に、貼付部１に色彩やデザイン、広告などを施したり押え部２を黒色に限らず他の色彩や模様を形成することにより意匠的にも優れたものとなり、商品価値が高まる、特に、透光性を有する場合には違和感や邪魔になることもない。【００２６】  尚、押え部２はゴムなどの板材を打ち抜き加工、接着加工、折り曲げ加工など従来周知の手段により形成することができ、また、本実施の形態では側面がム形状であるが、所定の機能を有する突出部と押え部本体が形成されていればよく、例えば湾曲状であるなど他の形状でもよいことはいうまでもない。また、本実施の形態では貼付部１の表面１１に粘着層１２を形成して書籍に貼りつけたが、貼付部１の裏面１３に粘着層を形成して例えば裏表紙などに貼り付けて使用することもできる。【００２７】  図５は本発明の異なる実施の形態を示すものであり、しおりとしての基本的な構成並びに使用方法などは前記図１に示した実施の形態とほぼ同様であるが、押え部２が前記貼付部１の外面１２に沿って揺動可能であるとともに、先端に扁平な頁めくり部２６が備えられている点が異なる。【００２８】  図６は本実施の形態の使用状態を示すものであり、特に、頁を捲るときに頁めくり部２６に指先を当てて貼付部１の外面１２に沿って揺動させることにより頁めくり部２６の摩擦力により水分を用いることなしに乾いた指先でも頁を滑らせることなく確実に捲ることができる。【００２９】  そして、頁めくり部２６を用いて頁を捲ったあとに手を離せば、押え部２は自身が有する弾性力により元の位置に復帰して次の頁を押さえ、しおりとしての作用する。【００３０】  また、本実施の形態は、頁めくり部２６に指が固定し易いように所定形状の透窓２７が形成されているので更に操作がし易い。尚、透窓２７の形状は限るものでなく、指先が固定されやすいものであればよく、例えば図７に示すように他の形状でもよく、デザイン的に優れたものとすることができる。。尚、本実施の形態では頁めくり部２６の中央に透孔２７を形成したものを示したが、凹部（図示せず）であっても同様に機能する。【００３１】  図８は本発明の異なる使用状態を示す実施の形態を示すものであり、前記図１に示したしおりと図５に示した頁めくり部２６を備えたしおりとを併用したものであり、両者の利点が相俟って相乗効果が得られる。
【図面の簡単な説明】
【００３２】
【図１】本発明の好ましい実施の形態を示すものであり、（ａ）は斜視図、（ｂ）は正面図、（ｃ）は背面図、（ｄ）は側面図である。
【図２】図１に示した実施の形態の使用状態を示す説明図である。
【図３】図１に示した実施の形態の使用状態を示す説明図である。
【図４】図１に示した実施の形態の使用状態を示す説明図である。
【図５】本発明の異なる実施の形態を示すものであり、（ａ）は斜視図、（ｂ）は正面図、（ｃ）は背面図、（ｄ）は側面図である。
【図６】図５に示した実施の形態の使用状態を示す説明図である。
【図７】図５に示した実施の形態についての他の形状のめくり部を示す正面部分図。
【図８】本発明の更に異なる実施の形態を示す説明図である。
【図９】従来例を示す斜視図である。
【図１０】異なる従来例を示す斜視図である。
【図１１】更に異なる従来例を示す斜視図である。
【符号の説明】
【００３３】  １  貼付部、２  押え部、１１  内面、１２  粘着層、１４  突出部、２１  基端、２３  押え部本体、２４  連結部、２５  連結部、２６  頁めくり部、２７  透窓
【図１】
2010012767.tif 000003
【図２】
2010012767.tif 000004
【図３】
2010012767.tif 000005
【図４】
2010012767.tif 000006
【図５】
2010012767.tif 000007
【図６】
2010012767.tif 000008
【図７】
2010012767.tif 000009
【図８】
2010012767.tif 000010
【図９】
2010012767.tif 000011
【図１０】
2010012767.tif 000012
【図１１】
2010012767.tif 000013